(57)【要約】【課題】  本発明は、特にダイバーシチ受信機能を備えた無線受信機におけるサンプリングタイミングの最適化を図ることを主目的とする。  【解決手段】  送信された第１送信シンボルを第１、第２伝播路を介して受信して得られた第１、第２受信シンボルについて、それぞれ所定のサンプリング間隔でサンプリングを行う第１、第２サンプリング手段と、これらのそれぞれによって得られた各サンプリング信号を合成する合成手段と、第１サンプリング手段によりサンプリングが行われる第１受信シンボルについてのサンプリング位置と、前記第２サンプリング手段によりサンプリングが行われる第２受信シンボルについての対応するサンプリング位置との差が、第１受信シンボル、第２受信シンボルの受信タイミング差の時間に相当するサンプリング位置の差と異なるようにサンプリング位置を制御可能な制御部とを備えた無線受信機を用いる。【選択図】        図３
2005142939.tif 000002
【特許請求の範囲】
【請求項１】
送信された第１送信シンボルを第１伝播路を介して受信して得られた第１受信シンボルについて、所定のサンプリング間隔でサンプリングを行う第１サンプリング手段と、
該送信された第１送信シンボルを第２伝播路を介して受信して得られた第２受信シンボルについて、該所定のサンプリング間隔と同様のサンプリング間隔でサンプリングを行う第２サンプリング手段と、
該第１サンプリング手段、該第２サンプリング手段のそれぞれによって得られた各サンプリング信号を合成する合成手段と、
前記第１サンプリング手段によりサンプリングが行われる前記第１受信シンボルについてのサンプリング位置と、前記第２サンプリング手段によりサンプリングが行われる第２受信シンボルについての対応するサンプリング位置との差が、前記第１受信シンボルの受信タイミングと前記第２受信シンボルの受信タイミングとの差の時間に相当するサンプリング位置の差と異なるように前記サンプリング位置を制御可能な制御部と、
を備えたことを特徴とする無線受信機。
【請求項２】
２つのアンテナを用いて受信した２系統の信号を用いてダイバシチ受信を行う無線受信機において、
第１の系統の受信信号についてサンプリングを行う第１サンプリング手段と、第２の系統の受信信号についてサンプリングを行う第２サンプリング手段と、
該第１サンプリング手段、該第２サンプリング手段によりサンプリングを行った各信号を合成する合成部と、
サンプリングタイミングを生成するタイミング生成手段と、
該タイミング生成手段により生成されたサンプリングタイミングを前記第１サンプリング手段と前記第２サンプリング手段とで相対的に所定量ずらして与えるタイミング制御手段と、
を備えたことを特徴とする無線受信機。
【請求項３】
前記所定量を０より大きく、サンプリングタイミングの間隔の半分以下としたことを特徴とする請求項２記載の無線受信機。
【請求項４】
前記所定量をサンプリングタイミングの間隔の半分以下のある値として設定し、該設定後における前記第１サンプリング手段によるサンプリング後の第１系統の受信信号の品質と、該設定後における前記第２サンプリング手段によるサンプリング後の第２の系統の受信信号の品質とに基づいて、品質が良い側の系統に対応するサンプリング手段のサンプリングタイミングに他方のサンプリング手段のサンプリングタイミングを近づけるように前記設定した所定量を変更する制御手段、
を備えたことを特徴とする請求項２記載の無線受信機。
【請求項５】
前記合成部として選択合成部を用い、前記第１サンプリング手段によるサンプリング後の第１の系統の受信信号の受信品質と、前記第２サンプリング手段によるサンプリング後の第２の系統の受信信号の受信品質を評価する評価手段を更に設け、
該評価手段により受信品質が良好である側の系統の信号を前記選択合成部によって選択するように該評価手段から選択信号を前記選択合成部に与える、
ことを特徴とする請求項２記載の無線受信機。
【発明の詳細な説明】
【技術分野】
【０００１】
本発明は、無線受信機に関する。また、特にダイバーシチ（diversity）受信機能を備えた無線受信機に関する。
【背景技術】
【０００２】
現在の無線通信技術においては、時分割通信方式、符号分割通信方式等の種々の通信方式が用いられているが、その基本的な構成は、概して図１に示したような送信機、受信機の構成をとる。
【０００３】
図１において、１は無線送信機、７は無線受信機を示し、無線送信機１は、信号処理部２、フィルタ部３、Ｄ／Ａコンバータ４、無線送信部５、アンテナ６を備えている。一方、無線受信機は、ダイバーシチ受信用の異なる２つのアンテナ８、９とそれぞれのアンテナに対応した無線受信部１０、１１、Ａ／Ｄコンバータ１２、１３、フィルタ部１４、１５と、更にフィルタ部１４、１５の出力を合成する合成部１６と、合成後の信号について信号処理を行う信号処理部１７とを備えている。
【０００４】
無線送信機１から無線受信機７に無線信号が送信される場合の各部の動作について簡単に説明する。まず、無線送信機１においては、信号処理部２により送信したい送信データがデジタル信号として出力され、フィルタ部３に入力される。フィルタ部３としては、例えば、ルートナイキストフィルタが用いられ、このフィルタ部３によって、入力信号についての符号間干渉が抑制されることとなる。フィルタ部３からの出力信号は、次にＤ／Ａ個バータ４に入力され、アナログ信号に変換され、無線送信部５に入力される。尚、信号処理部２から出力され、無線送信部５に入力される信号は、主にベースバンド信号と呼ばれる。
【０００５】
無線送信部５は、入力されたアナログのベースバンド信号に基づいて、所定の変調方式（例えば、直交変調等）に従って、変調処理を施し、更に、無線周波数信号に周波数変換した後に無線信号としてアンテナ６から送信する。尚、符号分割による通信方式に対応する無線送信機である場合には、信号処理部２から拡散符号により拡散された信号が出力されることとなる。
【０００６】
さて、無線送信機１から送信された無線信号は、無線受信機７に設けられた２つのアンテナ８、９で受信される。通常これらのアンテナは、ダイバシチ受信を行うために、離間して設けられる。従って、無線アンテナ６から送信された同じ無線信号は、異なる経路を介してアンテナ８、９のそれぞれで受信されることになる。
【０００７】
アンテナ８、９で受信された信号は、無線受信部１０、１１において、無線送信機１の無線送信部５における変調方式に応じて復調処理を行い、復調により得られたアナログ信号であるベースバンド信号をＡ／Ｄコンバータ１２、１３に出力する。尚、無線送信機１が直交変調方式を採用する場合は、無線受信機７は直交検波を行うこととなり、いわゆるＩ成分、Ｑ成分の信号が並列して出力されることとなるが、ここでは、記載の簡略化のために、並列出力を１の出力として図示（無線受信部１０〜信号処理部１７、無線受信部１１〜信号処理部１７）している。
【０００８】
Ａ／Ｄコンバータ１２、１３は、受信アナログ信号をデジタル信号に変換してからフィルタ部１４、１５の各々に出力する。
【０００９】
フィルタ部１４、１５は、無線送信機同様、ルートナイキストフィルタ等が用いられ、符号間干渉を抑圧したデジタル信号を合成部１６に与える。尚、アンテナ８側から合成部１６にいたる受信系統を第１受信系統と称し、アンテナ９側から合成部１６にいたる受信系統を第２受信系統と称することで、相互の受信系統を識別することとする。
【００１０】
合成部１６は、第１受信系統、第受信系統を介して得られた受信デジタル信号を合成（例えば、加算）して、ダイバシチ利得によりノイズの抑圧された信号を信号処理部１７に与える。
【００１１】
信号処理部１７は、入力信号に含まれる制御信号、情報信号等を抽出し、不図示の出力部に情報信号に応じた出力を行ったり、制御信号を参照して、無線受信機７内の各部の制御を行う。
【００１２】
尚、ダイバーシチ受信装置について次の特許文献１が既に公開されている。
【特許文献１】特開平６−３７６８５号公報
【発明の開示】
【発明が解決しようとする課題】
【００１３】
一般的なダイバシチ受信機能を備えた無線受信機は先に説明したような構成要素を持ち、その構成要素に基づき動作するが、次のような問題がある。
【００１４】
無線受信機７は、無線受信部１０、１１においてＢＰＦ等のフィルタによる帯域外信号の抑圧、周波数変換、直交検波等の受信処理を施した信号を出力し、Ａ／Ｄコンバータ１２、１３はそれぞれ、無線受信部１０、１１のアナログ出力信号をデジタル信号に変換するが、通常は、共通の発振器からの出力信号を用いて、同一のタイミングを基準としてアナログ信号のサンプリングを行い、デジタル信号に変換している。ここで、サンプリング周波数としては、例えば、無線受信部１０から与えられるベースバンド信号の信号帯域幅の２倍以上の周波数が用いられる。
【００１５】
ところで、サンプリングを行う際の最適なタイミングとして、他の符号の影響の少ないナイキスト点（図２の０．５シンボル相当の時間であり矢印で示した時点）が挙げられるが、信号帯域幅の２倍の周波数をサンプリング周波数として用いることとすると、サンプリングタイミングがちょうどナイキスト点に一致するタイミングであれば理想的なＡ／Ｄ変換を行うことができるが、サンプリングタイミングがナイキスト点からずれている場合は、符号間干渉の影響を強く受け、受信信号についての信号対雑音比が劣化することとなる。尚、１シンボルとは、１変調周期に対応する信号であり、１データ周期で変調を行う場合には、１つのデータ（例えば、「０」又は「１」データ）に対応し、データを拡散符号により拡散し、拡散後の１チップに相当する周期で変調を行う場合には、１チップに相当する信号に対応する。
【００１６】
このようなサンプリングタイミングのずれによる、受信品質を改善する方策として、サンプリング周波数を信号帯域幅の２倍より高い周波数として、オーバーサンプリングを行うことで、よりナイキスト点のタイミングに近いタイミングでのサンプリングを実現することもできるが、一般にサンプリング周波数を上げるほど、無線受信機の回路規模、消費電力の増加を招くこととなり、小型化、低消費電力化を疎外することとなる。
【００１７】
また、無線受信機として、特に、１６値ＱＡＭ方式を採用する場合、符号多重数が多くなり得る符号分割方式を採用する場合、簡易な誤り訂正能力しか持たない無線受信機を用いる場合等には、受信機におけるこのようなサンプリングタイミングの問題は顕著に表れ、信号対雑音比の劣化による受信品質の低下が著しいものとなる。
【００１８】
そこで、本発明は、無線受信機、特に、ダイバーシチ受信機能を備えた無線受信機におけるサンプリングタイミングの最適化を装置の小型化、又は、低消費電力化を考慮しながら、実現することを主目的とする。尚、後述する記載において説明される構成、効果であって、従来技術によっては得られないものは、その他の目的として理解されるべきである。
【課題を解決するための手段】
【００１９】
（１）本発明においては、送信された第１送信シンボルを第１伝播路を介して受信して得られた第１受信シンボルについて、所定のサンプリング間隔でサンプリングを行う第１サンプリング手段と、該送信された第１送信シンボルを第２伝播路を介して受信して得られた第２受信シンボルについて、該所定のサンプリング間隔と同様のサンプリング間隔でサンプリングを行う第２サンプリング手段と、該第１サンプリング手段、該第２サンプリング手段のそれぞれによって得られた各サンプリング信号を合成する合成手段と、前記第１サンプリング手段によりサンプリングが行われる前記第１受信シンボルについてのサンプリング位置と、前記第２サンプリング手段によりサンプリングが行われる第２受信シンボルについての対応するサンプリング位置との差が、前記第１受信シンボルの受信タイミングと前記第２受信シンボルの受信タイミングとの差の時間に相当するサンプリング位置の差と異なるように前記サンプリング位置を制御可能な制御部と、を備えたことを特徴とする無線受信機を用いる。
【００２０】
ここに、第１伝播路と、第２伝播路とは、伝播路が相異することを限定するものであり、受信するアンテナが異なるかどうかを限定するものではない。また、合成とは、加算合成、選択合成を含む概念である。
（２）また、本発明においては、２つのアンテナを用いて受信した２系統の信号を用いてダイバシチ受信を行う無線受信機において、第１の系統の受信信号についてサンプリングを行う第１サンプリング手段と、第２の系統の受信信号についてサンプリングを行う第２サンプリング手段と、該第１サンプリング手段、該第２サンプリング手段によりサンプリングを行った各信号を合成する合成部と、サンプリングタイミングを生成するタイミング生成手段と、該タイミング生成手段により生成されたサンプリングタイミングを前記第１サンプリング手段と前記第２サンプリング手段とで相対的に所定量ずらして与えるタイミング制御手段と、を備えたことを特徴とする無線受信機を用いる。
（３）更に、本発明では、（２）において、前記所定量を０より大きく、サンプリングタイミングの間隔の半分以下としたことを特徴とする無線受信機を用いる。
（４）更に、本発明では、（２）において、前記所定量をサンプリングタイミングの間隔の半分以下のある値として設定し、該設定後における前記第１サンプリング手段によるサンプリング後の第１系統の受信信号の品質と、該設定後における前記第２サンプリング手段によるサンプリング後の第２の系統の受信信号の品質とに基づいて、品質が良い側の系統に対応するサンプリング手段のサンプリングタイミングに他方のサンプリング手段のサンプリングタイミングを近づけるように前記設定した所定量を変更する制御手段、とを備えたことを特徴とする無線受信機を用いる。
（５）他の思想では、（４）において、前記制御手段は、前記変更後における前記第１サンプリング手段によるサンプリング後の第１の系統の受信信号の品質と、該設定後における前記第２サンプリング手段によるサンプリング後の第２の系統の受信信号の品質とに基づいて、双方の品質が基準値を下回って劣化した場合には、前記所定量を前記設定した値に戻すことを特徴とする無線受信機を用いる。
（６）更に、本発明では、（２）において、前記合成部として選択合成部を用い、前記第１サンプリング手段によるサンプリング後の第１の系統の受信信号の受信品質と、前記第２サンプリング手段によるサンプリング後の第２の系統の受信信号の受信品質を評価する評価手段を更に設け、該評価手段により受信品質が良好である側の系統の信号を前記選択合成部によって選択するように該評価手段から選択信号を前記選択合成部に与える、ことを特徴とする無線受信機を用いる。
【発明の効果】
【００２１】
本発発明によれば、第１サンプリング手段による第１受信シンボルについてのサンプリング位置と、第２サンプリング手段による第２受信シンボルについてのサンプリング位置との差を、第１受信シンボルと第２受信シンボルの受信タイミング差に応じた位置の差とは異なるものとすることができるため、受信タイミングが変動した場合でも、少なくともいずれかのサンプリングタイミングを理想的なサンプリングタイミングに近づけることが可能となり、無線受信機としての受信品質の向上が図られる。
【００２２】
また、本発明によれば、ダイバーシチ受信を行う無線受信機にとって、第１サンプリング手段による第１受信シンボルについてのサンプリング位置と、第２サンプリング手段による第２受信シンボルについてのサンプリング位置との差がダイバーシチ用の受信アンテナの間隔に依存した各アンテナによる受信タイミング相当の差に束縛される従来に対して、
更に所定量のタイミング差に応じたサンプリング位置の差を与えることができるため、双方の系統についてのサンプリングタイミングが共に理想的なサンプリングタイミングから大きくずれることを防止し、少なくともいずれかのサンプリングタイミングを理想的なサンプリングタイミングに近づけることができ、ダイバシチ受信を行う無線受信機としての受信品質の向上が図られる。
【００２３】
また、本発明によれば、所定量は０より大きく、サンプリングタイミングの間隔の半分以下としたので、必要以上の量のタイミング調整を行うための機能を付与せずともよいこととなる。
【００２４】
また、本発明によれば、所定量の設定後、品質が良い側の系統の受信信号に対応するサンプリング手段のサンプリングタイミングに他方のサンプリング手段のサンプリングタイミングを近づけるように設定した所定量を変更するため、所定量の設定時に対して、双方の系統についてのサンプリングタイミングの更なる適性化を図ることができるため、ダイバーシチ受信がより効果的に行われることとなる。
【発明を実施するための最良の形態】
【００２５】
以下、実施例について説明する。
【実施例１】
【００２６】
（構成の説明）
図３は、本発明にかかる無線受信機の構成の１例を示す図である。尚、無線受信機として特に２つのアンテナを用いてダイバーシチ受信を行う無線受信機を示しているが、１つのアンテナとすることもできる。例えば、同じ送信シンボルにより変調を行って得られた周波数Ｆ１、Ｆ２の無線信号が無線送信機から送信される場合に、これを受信し、それぞれの周波数に対応して得られた受信シンボルをそれぞれ第１受信シンボル、第２受信シンボルとして扱うこともできる。
【００２７】
図１において、１８は本発明に係る無線受信機を示し、８、９は、ダイバーシチ受信用の異なる２つのアンテナを示し１０、１１は、それぞれのアンテナに対応して設けられ、直交検波等の受信処理を施す無線受信部を示し、１２、１３はＡ／Ｄコンバータを示す。ここでは２倍のオーバサンプリングを行うこととする。１４、１５は符号間干渉等を抑制するためのフィルタ部を示し、ルートナイキストフィルタ等が用いられる。１６はダイバーシチ合成を行う合成部、１７はダイバーシチ合成後の受信信号を用いて信号処理を行う信号処理部を示す。
【００２８】
また、本実施例においては、更に、１９、２０として発振器からの信号に対して遅延を与えることが可能な遅延部が設けられている、また、２１として示すＦＩＦＯ部（ファーストインファーストアウト処理を行うバッファ）も設けられ、このＦＩＦＯ部により第１系統、第２系統の処理時間を含めたサンプリング値の出力タイミングずれの一致化が図られる。また、２２として受信信号の品質評価の手段の１つとしての制御部が設けられ、２３、２４として伝播路補償部が設けられている。
（動作説明）
次に、この無線受信機１８の動作について説明する。尚、先に示した無線送信機１から無線受信機１８宛てに無線信号が送信される場合の各部の動作について簡単に説明することとする。
【００２９】
無線送信機１から送信された先に示した無線信号は、無線受信機１８に設けられた２つのアンテナ８、９で受信される。通常これらのアンテナは、ダイバシチ受信を行うために、離間して設けられる。従って、無線アンテナ６から送信された無線信号は、異なる経路を介してアンテナ８、９のそれぞれで受信されることになる。
【００３０】
アンテナ８、９で受信された信号は、無線受信部１０、１１において、無線送信機１の無線送信部５における変調方式に応じて復調処理を行い、復調により得られたベースバンド信号をＡ／Ｄコンバータ１２、１３に出力する。
【００３１】
Ａ／Ｄコンバータ１２は、遅延部１９から与えれるタイミングをサンプリングタイミングとして、入力されたアナログ信号をデジタル信号に変換して出力する。但し、遅延部１９は、制御部２２により遅延量が設定されており、設定された遅延量に応じて発振器からの出力信号を遅延させてＡ／Ｄコンバータ１２に与えている。
【００３２】
Ａ／Ｄコンバータ１３も同様に、遅延部２０から与えれるタイミングをサンプリングタイミングとして、入力されたアナログ信号をデジタル信号に変換して出力する。但し、遅延部２０は、制御部２２により遅延量が設定されており、設定された遅延量に応じて発振器からの出力信号を遅延させてＡ／Ｄコンバータ１３に与えている。
【００３３】
Ａ／Ｄコンバータ１２の出力信号であるデジタル信号は、無線送信機１同様、ルートナイキストフィルタ等のフィルタ部１４により、符号間干渉が抑圧され、制御部２２、伝播路補償部２３に入力される。
【００３４】
一方、Ａ／Ｄコンバータ１３の出力であるデジタル信号は、ＦＩＦＯ部２１により一端格納されてから、入力順に順次デジタル信号を出力してゆき、フィルタ部１５に与えることとなる。尚、このＦＩＦＯ部により、第１系統、第２系統の処理時間を含めたサンプリング値の出力タイミングずれの一致化が図られる。
【００３５】
フィルタ部１５は、符号間干渉を抑圧する処理を入力信号に対して施して制御部２２及び伝播路補償部２４に与える。
【００３６】
制御部２２は、フィルタ部１４、１５からの受信デジタル信号を用いて、信号対干渉比（ＳＩＲ）を各デジタル受信信号について求めて、求めたＳＩＲに応じて遅延部１９、２０に対して遅延量を設定する。尚、制御部２２は、ＳＩＲ算出前の遅延部１９、２０への遅延量の設定機能も有するが、制御部２２の詳細な制御については後述する。
【００３７】
フィルタ部１４、１５の他方の出力は、伝播路補償部２３、２４により受信信号に含まれる既知信号（パイロット信号等）を用いて伝播路における位相回転を補償するために、入力信号に対して位相回転処理が行われる。
【００３８】
合成部１６は、伝播路補償後の信号同士を合成して、信号処理部１７へ与える。尚、合成部１６は、伝播路補償部２３、２４の出力を単に加算して出力することでノイズ低減効果を得ることとしてもよいが、好ましくは、制御部２２から各系統の受信信号についてより品質が良好な系統についての情報を受信し（例えば、アンテナ８からの受信信号が良好であれば「０」、アンテナ９からの受信信号が良好であれば「１」を受信し）、その受信信号に応じて良好な側の受信信号を選択して出力するいわゆる選択合成を行い、選択合成後の信号を信号処理部１７に与える。ここで、選択合成を行うべく選択の切替えを行うタイミングとしては、１シンボル単位で行ったり、複数シンボル単位で行うこともできる。尚、複数シンボル単位で行う場合には、ＳＩＲの評価複数シンボルに渡って積算処理可能なため、ＳＩＲの算出値のばらつきの影響が少なくなるという効果がある。
【００３９】
信号処理部は、入力信号に含まれる制御信号、情報信号等を抽出し、不図示の音声、表示出力部に情報信号に応じた音声出力、表示出力を行ったり、制御信号を参照して、無線受信機内の各部の制御を行う（例えば、無線受信機１８が送信機能も有する場合に、制御信号により送信電力を昇降することを指示する信号が含まれている場合には、不図示の無線送信部に対して、送信電力の昇降の制御を行う）。
（サンプリングタイミングについて）
次に実施例にかかる無線受信機について特にＡ／Ｄコンバータ１２、１３におけるサンプリングタイミングに着目した動作について詳細に説明する。
【００４０】
図４は、Ａ／Ｄコンバータ１２、１３におけるサンプリングタイミングについて説明するための図である。
【００４１】
図において、ｔは時間であり、第１受信系統（この場合は、本実施例の場合はアンテナ８からの受信系統）についての第１シンボルがＡ／Ｄコンバータ１２に入力された時点をｔ＝０として表している。１は、１シンボル長を示し、変調周期に対応する。一方、第２受信系統（本実施例の場合は、アンテナ９からの受信系統）についての第２シンボル（第１シンボルと、第２シンボルとは、共通の第１送信シンボルに対応したものである）は、アンテナ８、９の離間距離に応じた受信タイミング差だけ遅延して受信することとなるため、△Ｔで示した時間だけ１シンボルに対して受信タイミングが遅延する。
【００４２】
但し、アンテナ８、９間の離間距離は、通常０．３ｍ以下であることが多く、△Ｔは１ｎｓ以下の時間となるため、サンプリング間隔に対して十分小さく０と見なすこともできるが、ここでは、無線受信部１０、１１内のフィルタ等の特性のバラツキに起因する遅延も考慮して△Ｔが存在するものとして扱うこととし、Ａ／Ｄコンバータの入力信号を受信タイミングとして捉え、△Ｔを第１系統における第１受信シンボルの受信タイミングと、第２系統における第２受信シンボルの受信タイミングの差と称することとする。
【００４３】
さて、無線受信機１８にとって、受信品質を良好なものとするためには、サンプリングタイニングを最適サンプリングタイミング（図３において矢印で示したアイパターンの目の中心）とすることは重要である。図４における第１受信系統のように、サンプリングタイミングと最適サンプリングタイミングが一致している場合は、理想的なサンプリングがなされる。尚、第２受信系統については、最適サンプリングタイミングから△Ｔだけずれることとなるが、後に、合成部１６で第１系統、第２系統の信号は合成されるため、受信品質は良好となる。
【００４４】
しかし、実際には、サンプリングタイミングに対して受信シンボルの受信タイミングがずれこむため問題となる。図５の折れ線２５として、図４の状態から第１受信系統における受信シンボルがサンプリングタイミングに対して徐々に遅延して受信された場合の、最適サンプリング位置からのずれ量を示した。図のように、最適サンプリング値からのずれ量のピークは１／４シンボル相当の時間で、受信タイミングが１／４シンボル相当の時間遅延した場合にこのピークを迎えることとなる。
【００４５】
一方、第２受信系統についても、図５の折れ線２６として、受信シンボルがサンプリングタイミングに対して徐々に遅延して受信された場合の、最適サンプリング位置からのずれ量を示した。尚、遅延０の時に最適サンプリングタイミングから△Ｔだけのずれ量を有するのは、先に説明したアンテナ間の距離に依存した受信タイミング差（無線受信部に１０、１１における処理時間差を含めることもできる）によるものである。
【００４６】
少なくともいずれかの受信系統が最適サンプリングタイミングに近いことが重要であるが、第１受信系統、第２受信系統のそれぞれは、図５に示した振る舞いをするので、後に合成部１６で合成することを考慮して、折れ線２５、２６の各受信タイミングの遅延時間についての最適サンプリングタイミングからのずれ量の小さい側の値に着目したとしても、図に示すように黒丸Ｐで示す点において最適サンプリングタイミングから大きくずれが生ずることとなる。尚、△Ｔが小さい程折れ線２５、２６は接近し、最適サンプリングタイミングから第１系統、第２系統についてのサンプリングタイミングが双方とも大きくずれこむことを許容することとなる。
（初期遅延量の設定）
従って、本実施例では、遅延部１９、２０を設け、少なくともいずれかの遅延部に対して遅延量を設定してＡ／Ｄコンバータ１２、１３のそれぞれにおけるサンプリングタイミングを相対的にずらすことにより、Ａ／Ｄコンバータ１２によりサンプリングが行われる第１受信シンボルについてのサンプリング位置と、Ａ／Ｄコンバータ１３によりサンプリングが行われる第２受信シンボルについての対応するサンプリング位置との差が、△Ｔと
異なる値に制御可能な制御部２２を用いている。
【００４７】
即ち、制御部２２は、共通の発振器からの信号について遅延処理を施す遅延部１９、２０に対して初期遅延量を設定する。例えば、遅延部１９に対しては遅延量０、遅延部２０に対しては、（１／４シンボル時間（サンプリング間隔の半分の時間）＋△Ｔ）に相当する時間の遅延を付加するように指示する。
【００４８】
すると、Ａ／Ｄコンバータ１３におけるサンプリングタイミングと第２受信シンボルとの相対的なタイミング関係が変動し、図５の折れ線２７に示したような特性が得られることとなる。折れ線２７によれば、第１系統、第２系統がサンプリングタイミングに対してずれたとしても、各受信タイミングの遅延時間についての最適サンプリングタイミングからのずれ量の小さい側の値は１／８シンボル時間以内に収まっている。
【００４９】
従って、受信タイミングの変動に対して受信品質の維持が図られることとなる。但し、
遅延量の差を１／４シンボル時間（サンプリング間隔の半分の時間）＋△Ｔとすると、第１受信系統、第２受信系統における受信品質が極端に異なるタイミング（図５における受信信号が１／４シンボル相当の遅延を生じて受信された場合）が発生することとなるため、
遅延量の差を１／８シンボル時間（サンプリング間隔の半分の時間）＋△Ｔとして、受信品質のギャップを低減させて、ダイバーシチ利得の向上を図ることも考えられる。
【００５０】
以上の例では、遅延部２０に対して（１／４シンボル時間＋△Ｔ）の値を設定したが、他の例として０より大きく、１サンプリング間隔より小さい値とすることが必要以上の遅延量を与える機能を必要とせず、好適である。その際、好ましくは、△Ｔだけ受信タイミングが遅延する側とは異なる側について△Ｔの遅延を与えないこととすることが望ましい。この遅延量の設定により、図５における特性が重なることとなるからである。
（設定した遅延量の変更）
次に、遅延部２０に対して設定した所定量の遅延量（例えば1／４シンボル時間）を変更する実施例について説明する。
【００５１】
制御部２２は、先に示したように、遅延部２０に対して初期遅延量を設定している。遅延部２０はその指示に従って、発振器からの出力信号にこの所定量の遅延を与え、Ａ／Ｄコンバータ１３は、この遅延されたタイミングに従ってサンプリングを行いデジタル信号を出力している。
【００５２】
ここで、次に、制御部２２は、サンプリングタイミングが遅延された第２系統の受信信号と、サンプリングタイミングが遅延されていない第１系統の受信信号の品質を例えばＳＩＲとして評価し、より品質のよい側の遅延部に設定している値に品質の悪い側の遅延部に設定している値を近づける制御を行う。ここで、ＳＩＲの評価は、フィルタブ１４、１５の出力を用いて行うことができる。
【００５３】
この制御により、第１受信系統の品質の方が良い場合は、遅延部２０における遅延量を０に近づける（０そのものとするか又は０＋α）制御を行う。ここで、０そのものとすると、第２受信系統の品質も第１受信系統の品質と同様に向上すると考えられるが、わざと微小にαだけ第２受信系統の遅延量を異なる値としておくことで、更なるＳＩＲの評価により遅延量の制御の方向が定まるという効果が得られることとなる。
【００５４】
以上の例では、受信品質の大小比較により遅延量の変更を行ったが、もちろん、この変更制御を品質が良い側の品質が基準品質を上回る時に変更を行うように、変更条件として更なる条件を付加することもできる。
【００５５】
この基準を採用することで、遅延量の変更後の双方の系統の受信品質がこの基準品質を下回った場合には、初期状態に戻すこともできる。尚、本実施例に係る無線受信機が１６値ＱＡＭ信号を受信し、Ａ／Ｄコンバータで４倍のオーバサンプリングすることとすると、最適サンプリングタインミング（ナイキスト点）でサンプリングを行った時にＳＩＲが３５ｄＢ以上となり、１／４クロックずれでＳＩＲが２０ｄＢ、１／２クロックずれで１４．４ｄＢとなるため、外部雑音がないときの０．３５クロックずれに相当する１７．５ｄＢに基準品質を設定することが考えられる。
【００５６】
先の実施例を例にあげると、遅延部１９の遅延量を０とし、遅延部２０の遅延量を所定量（１／４シンボル時間＋△Ｔ）に戻すこととなる。
【００５７】
尚、図６において、遅延部２０に対して△Ｔ＋１／４シンボル時間時間を設定した場合のサンプリングタイミングを示しておいた。この遅延量の設定により、第１受信系統につついての第１受信シンボルにおけるサンプリング位置に対して、第２受信系統についての第２受信シンボルにおける対応するサンプリング位置（第２受信系統において、左側又は右側の黒丸で示した位置）は、１／４シンボル長だけ前側の位置にずれており、方向を含めたずれ量（差）は、△Ｔとは異なるものものとなっている。尚、遅延量の差を△Ｔ＋ｎ×サンプリング間隔（Ｎは自然数）とすると、第１受信系統とサンプリング位置が一致するため、望ましくない。
【実施例２】
【００５８】
実施例１では、Ａ／Ｄコンバータ１２、１３を第１、第２サンプリング手段として用い、サンプリング位置を遅延部１９又は２０に設定する遅延量の変更により直接可変としていた。しかし、本実施例では、Ａ／Ｄコンバータ１２とフィルタ部１４の組、Ａ／Ｄコンバータ１３とフィルタ部１５の組をそれぞれ、第１サンプリング手段、第２サンプリング手段として用いたものである。尚、図において、実施例１と同様の参照符号を付したものは同様の構成である。但し、制御部２８は、実施例１では、遅延部１９、２０に対して遅延量を設定していたのに対して、実施例２では、その遅延量に対応するタップ係数群を、フィルタ部１４又は１５にタップ係数設定値として与えるため、参照番号を２８に変更している。
【００５９】
さて、図７に示した無線受信機の動作について簡単に説明すると、Ａ／Ｄコンバータ１２、１３はそれぞれ共通の発振器からの出力に基づいて共通のタイミングで入力アナログ信号に対してサンプリングを行うこととなる。この時、先に説明した△Ｔが０の場合には、第１受信シンボル、第２受信シンボルについて同じ位置の信号をサンプリングすることとなるが、△Ｔが無視できない場合は、サンプリング位置は、△Ｔだけずれることとなる。
【００６０】
しかし、実施例２では、第１サンプリング手段として用いたフィルタ部１４は、Ａ／Ｄコンバータ１２で得られたサンプリング値を入力とし、制御部２８により設定されたタップ係数に応じてサンプリング位置を変動して出力する。
【００６１】
同様に、第２サンプリング手段として用いたフィルタ部１５は、Ａ／Ｄコンバータ１３で得られたサンプリング値を入力とし、制御部２８により設定されたタップ係数に応じてサンプリング位置を変動して出力する。
【００６２】
以上のように、Ａ／Ｄコンバータ１２とフィルタ部１４の組と、Ａ／Ｄコンバータ１３とフィルタ部１５の組は、送信された第１送信シンボルを第１伝送路を介して受信して得られた第１受信シンボルについて発振器からの所定のサンプリング間隔でサンプリングを行い、他方、Ａ／Ｄコンバータ１３とフィルタ部１５の組は、送信された第１送信シンボルを第２伝送路を介して受信して得られた第２受信シンボルについて発振器からの所定のサンプリング間隔でサンプリングを行う。
【００６３】
そして、更に、制御部２８は、フィルタ部１４、１５に対するタップ係数の設定値の変更により、Ａ／Ｄコンバータ１２とフィルタ部１４の組にサンプリングが行われる第１受信シンボルについてのサンプリング位置と、Ａ／Ｄコンバータ１３とフィルタ部１５の組にサンプリングが行われる第１受信シンボルについてのサンプリング位置との差が、第１受信シンボルの受信タイミングと第２受信シンボルの受信タイミングとの差の時間に相当するサンプリング位置の差と異なるようにサンプリング位置を変更する制御が可能となっているのである。
【００６４】
フィルタ部１４（１５）の詳細な構成は図８に示したとおりであり、Ａ／Ｄコンバータ１２（１３）からの入力を順次シフトレジスタ部２９のシフトレジスタに入力してゆき、制御部２８からのタップ係数設定値をタップ係数乗算部８０の各乗算器に入力することで、シフトレジスタの格納値とタップ係数との乗算を行う。タップ係数が乗算された値は、更に、排他的論理和部により演算処理が施され、フィルタ部１４（１５）の出力として演算結果を出力する。
【００６５】
ここで、タップ係数として制御部２８がフィルタ部１４又は１５に与える値は、サンプリング位置を変動させない場合は、図９の各点についての縦軸方向の値をタップ係数として適用する。即ち、横軸の値が０である点の縦軸方向の値１を、係数乗算部８０における中心位置の乗算器用のタップ係数として与え、この点から右方向に存在する点の縦軸方向の各値をこの中心位置の乗算器の右方向の乗算器に順に設定する。他方、この点から左方向に存在する点の縦軸方向の各値をこの中心位置の乗算器の左方向の乗算器に順に設定する。これにより、サンプリング位置が変動しない出力が得られることとなる。
【００６６】
一方、サンプリング位置を変動（ここでは、サンプリング位置を遅延）させる場合は、図１０（縦軸のスケールは図９と同時である）のように、図９におけるインパルス応答の波形を右方向にシフトしたインパルス応答波形に基づき、図９の各点と同じ横軸方向の値を持つ、この波形上の各点についての縦軸方向の値を各タップ係数として設定することとなる。即ち、この場合中心の乗算器に設定される値は、１より若干小さい値となっている。
【００６７】
以上のように、フィルタ部１４、１５に与えるタップ係数によって、第１サンプリング手段、第２サンプリング手段による受信シンボルに対するサンプリング位置は変動させることができるため、制御部２８は、実施例１で説明した遅延部に与える遅延量に対応するタップ係数群をフィルタ部１４、１５に与えるのである。
【００６８】
このとき、制御部２８は、各遅延量に応じて設定すべきタップ係数群を記憶したメモリを備え、タップ係数群をフィルタ部１４、１５に与える場合には、遅延量に応じたタップ係数群をこのメモリから読み出して用いることが望ましい。
【００６９】
以上が実施例２の説明であるが、実施例１で説明した制御部２２がＳＩＲを用いたり、設定値を変更したりする各動作を実施例２についても同様に適用できる。即ち、実施例１における制御部２２が各遅延部１９、２０に遅延量を設定するのに代えて、この遅延量をこのメモリを用いてタップ係数に変換して、図７の構成のフィルタ部１４、１５に与えることにより、実施例１における特徴的な各動作をこの実施例２の構成によっても実現できることは明らかである。
【００７０】
また、図７の構成において更に、発振器からの出力をＡ／Ｄコンバータ１２、１３へ入力する際に、実施例１で示した各遅延部を間に挿入し、各遅延部に与える遅延量をこの制御部２８から制御可能としておくことも考えられる。
【００７１】
その際、遅延すべき量を遅延部の設定により遅延させる量と、フィルタ部におけるタップ係数の設定により遅延させる量との和で実現することが望ましい。
【００７２】
例えば、先の１／４シンボル時間＋△Ｔの遅延について、１／４シンボル時間の遅延を一方の遅延部に遅延量として設定し、△Ｔの遅延についてはフィルタ部に対するタップ係数の設定値により実現するのである。そして、遅延量の変動（例えばーβ）が必要となった場合には、必要な変動量に応じてタップ係数を変更すればよい（ここでは、△Ｔ−β）。
【００７３】
最後に、Ａ／Ｄコンバータの前段（特に無線受信部１１）において、１／４サンプリングタイミング期間だけ遅延させる等の別案も考えられることを付言しておく。
【図面の簡単な説明】
【００７４】
【図１】一般的な無線送信機、無線受信機を示す図である。
【図２】一般的なアイパターンを示す図である。
【図３】本発明に係る無線受信機を示す図である。
【図４】サンプリングタイミングについて説明するための図である。
【図５】受信タイミングが遅延した場合の最適サンプリングタイミングとのずれ量              の変化を示す図である。
【図６】遅延調整後のサンプリングについて説明するための図である。
【図７】本発明に係わる無線受信機の他の実施例
【図８】フィルタブ１４（１５）の構成
【図９】零の遅延を与えた場合のタップ係数設定値
【図１０】正の遅延を与えた場合のタップ係数設定値
【符号の説明】
【００７５】
１          無線送信機
２          信号処理部
３          フィルタ部
４          Ｄ／Ａコンバータ
５          無線送信部
６          アンテナ
７          無線受信機
８、９      アンテナ
１０、１１  無線受信部
１２、１３  Ａ／Ｄコンバータ
１４、１５  フィルタ部
１６        合成部
１７        信号処理部
１８        無線受信機
１９、２０  遅延部
２１        ＦＩＦＯ部
２２        制御部
２３、２４  伝播路補償部
２５        第１受信系統に関する特性
２６        第２受信系統に関する特性
２７        第２受信系統についてのサンプリングタイミングを所定量変更した場合の
特性
２８        制御部
２９        シフトレジスタ部
３０        タップ係数乗算部
【図１】
2005142939.tif 000003
【図２】
2005142939.tif 000004
【図３】
2005142939.tif 000005
【図４】
2005142939.tif 000006
【図５】
2005142939.tif 000007
【図６】
2005142939.tif 000008
【図７】
2005142939.tif 000009
【図８】
2005142939.tif 000010
【図９】
2005142939.tif 000011
【図１０】
2005142939.tif 000012